(57)【要約】【課題】部品点数の削減や組立効率の向上を図ることができるパネル装置及び空間構成体を提供する。【解決手段】本発明の一態様に係るパネル装置は、Ｘ方向に並んだエンドパネル２０Ａ，２０Ｂと、エンドパネル２０Ａ，２０Ｂの境界部分からＹ方向に沿って配置された第１センターパネル２１Ａと、を備えている。エンドパネル２０Ａ，２０Ｂには、上下方向に開口する係合凹部５３が形成されている。第１センターパネル２１Ａには、第１エンドパネル２０Ａの係合凹部５３に係合された第１係合凸部７０と、第２エンドパネル２０Ｂの係合凹部５３に係合された第２係合凸部７１と、が設けられている。【選択図】図３
2022000558.tif 000002
【特許請求の範囲】
【請求項１】
水平方向のうち、第１方向を幅方向とし、前記第１方向に交差する第２方向を厚さ方向として配置された第１パネルと、
前記第１方向を幅方向とし、前記第２方向を厚さ方向とし、前記第１方向に沿って前記第１パネルに並んで配置された第２パネルと、
前記第１方向を厚さ方向とし、前記第２方向を幅方向として、前記第１パネル及び前記第２パネルの境界部分から前記第２方向に沿って配置された第３パネルと、を備え、
前記第１パネル及び前記第３パネルの一方には、上下方向に開口する第１係合凹部が形成され、
前記第１パネル及び前記第３パネルの他方には、前記第１係合凹部に対して上下方向に挿入されて前記第１係合凹部内に係合された第１係合凸部が設けられ、
前記第２パネル及び前記第３パネルの一方には、上下方向に開口する第２係合凹部が形成され、
前記第２パネル及び前記第３パネルの他方には、前記第２係合凹部に対して上下方向に挿入されて前記第２係合凹部内に係合された第２係合凸部が設けられているパネル装置。
【請求項２】
前記第１パネル及び前記第２パネルには、前記第１パネル及び前記第２パネルを前記第１方向に相対移動可能に、かつ前記第２方向に相対移動不能に接続する接続部が設けられている請求項１に記載のパネル装置。
【請求項３】
前記第１パネル及び前記第２パネルのうち一方のパネルと、前記第３パネルと、を連結して、前記一方のパネルと前記第３パネルとの互いに交差する交差面同士のなす角度が拡大又は縮小する方向への前記一方のパネルと前記第３パネルとの変位を規制する補助連結部を備えている請求項１又は請求項２に記載のパネル装置。
【請求項４】
前記補助連結部は、前記一方のパネルと前記第３パネルとの互いに交差する交差面同士を連結している請求項３に記載のパネル装置。
【請求項５】
前記補助連結部は、上下方向を厚さ方向する板状である請求項４に記載のパネル装置。
【請求項６】
前記第１係合凹部には、前記第１係合凸部が上下方向の両側から挿入可能とされ、
前記第２係合凹部には、前記第２係合凸部が上下方向の両側から挿入可能とされている請求項１から請求項５の何れか１項に記載のパネル装置。
【請求項７】
前記第１パネルには、上下方向の一方側を開口部とし、上下方向の他方側を底部とする前記第１係合凹部が形成された第１係合部材が取り付けられ、
前記第２パネルには、上下方向の一方側を開口部とし、上下方向の他方側を底部とする前記第２係合凹部が形成された第２係合部材が取り付けられ、
前記第１パネル及び前記第２パネルは、上下方向の一方側を上方に向けた上向位置、及び上下方向の一方側を下方に向けた下向位置の何れかの向きで前記第３パネルに連結されている請求項６に記載のパネル装置。
【請求項８】
前記第１係合凸部は、前記第１係合凹部内において前記底部から離間した状態で保持され、
前記第２係合凸部は、前記第２係合凹部内において前記底部から離間した状態で保持されている請求項７に記載のパネル装置。
【請求項９】
請求項１から請求項８の何れか１項に記載のパネル装置と、
前記パネル装置に連結され、前記パネル装置とともに内部空間を形成する仕切部材と、を備えている空間構成体。
【発明の詳細な説明】
【技術分野】
【０００１】
本発明は、パネル装置及び空間構成体に関する。
【背景技術】
【０００２】
オフィスや公共施設等の屋内施設には、室内空間を小空間に区画するための空間構成体が設置される場合がある。空間構成体としては、複数のパネルを組み合わせる構成が知られている。この構成によれば、複数のパネルを隔てて小空間が形成されることで、周囲からの視線や音等を遮った状態で業務や飲食等を行うことができる。
【０００３】
ここで、例えば下記特許文献１には、第１方向に並んだ間仕切りパネルと、隣り合う間仕切りパネル同士の境界部分から第１方向に交差する第２方向に延びる側板と、を備える構成が開示されている。下記特許文献１の構成において、間仕切りパネル同士は、互いに対向する対向面に形成された連結片同士を第１コ形金具によって連結することで組み付けられている。また、間仕切りパネルにと側板とは、第１コ形金具に取り付けられた取付金具と、側板の連結片と、を第２コ形金具により連結することで組み付けられている。
【先行技術文献】
【特許文献】
【０００４】
【特許文献１】特公昭５３−０３６２５３号公報
【発明の概要】
【発明が解決しようとする課題】
【０００５】
しかしながら、上述した従来技術にあっては、パネルの交差部分の連結に際し、コ形金具や取付金具等、パネルと別部材を用いて連結させる必要がある。そのため、部品点数の増加や組立工数の増加に繋がる可能性があった。この場合には、初期設置はもちろん、レイアウト変更等に迅速に対応することが難しかった。
【０００６】
本発明は、部品点数の削減や組立効率の向上を図ることができるパネル装置及び空間構成体を提供することを目的とする。
【課題を解決するための手段】
【０００７】
上記課題を解決するために、本発明は以下の態様を採用した。
本発明の一態様に係るパネル装置は、水平方向のうち、第１方向を幅方向とし、前記第１方向に交差する第２方向を厚さ方向として配置された第１パネルと、前記第１方向を幅方向とし、前記第２方向を厚さ方向とし、前記第１方向に沿って前記第１パネルに並んで配置された第２パネルと、前記第１方向を厚さ方向とし、前記第２方向を幅方向として、前記第１パネル及び前記第２パネルの境界部分から前記第２方向に沿って配置された第３パネルと、を備え、前記第１パネル及び前記第３パネルの一方には、上下方向に開口する第１係合凹部が形成され、前記第１パネル及び前記第３パネルの他方には、前記第１係合凹部に対して上下方向に挿入されて前記第１係合凹部内に係合された第１係合凸部が設けられ、前記第２パネル及び前記第３パネルの一方には、上下方向に開口する第２係合凹部が形成され、前記第２パネル及び前記第３パネルの他方には、前記第２係合凹部に対して上下方向に挿入されて前記第２係合凹部内に係合された第２係合凸部が設けられている。
【０００８】
本態様によれば、第１パネル及び第２パネルが第１方向に並んだ状態で、第１パネル及び第２パネルに対して第３パネルを上下方向に相対移動させる。すると、第１係合凸部が第１係合凹部内に係合されるとともに、第２係合凸部が第２係合凹部内で係合される。このように、第１パネル及び第２パネルが第３パネルを介して連結されることで、別部材を必要とすることなく、簡易な組立工程でパネル同士を平面視でＴ字状に連結することができる。よって、部品点数の削減や組立効率の向上を図ることができる。その結果、初期設置やレイアウト変更時に対して迅速に対応するこができる。
【０００９】
上記態様のパネル装置において、前記第１パネル及び前記第２パネルには、前記第１パネル及び前記第２パネルを前記第１方向に相対移動可能に、かつ前記第２方向に相対移動不能に接続する接続部が設けられていることが好ましい。
本態様によれば、第３パネルを第１パネル及び第２パネルに組み付ける前に、第１パネル及び第２パネル同士を接続部によって仮組みしておくことができる。これにより、第１パネル及び第２パネルと第３パネルとを組み付ける際に第１パネル及び第２パネル同士の位置ずれを抑制できる。よって、組立効率の向上を図ることができる。
特に、接続部は、第１パネル及び第２パネル同士を第１方向に相対移動可能に連結するので、例えば第１パネル及び第２パネル同士を第１方向に接近させるだけで、第１パネル及び第２パネルの仮組みが可能になる。
【００１０】
上記態様のパネル装置において、前記第１パネル及び前記第２パネルのうち一方のパネルと、前記第３パネルと、を連結して、前記一方のパネルと前記第３パネルとの互いに交差する交差面同士のなす角度が拡大又は縮小する方向への前記一方のパネルと前記第３パネルとの変位を規制する補助連結部を備えていることが好ましい。
本態様によれば、第１パネル及び第２パネルと、第３パネルと、をより強固に連結することができる。
【００１１】
上記態様のパネル装置において、前記補助連結部は、前記一方のパネルと前記第３パネルとの互いに交差する交差面同士を連結していることが好ましい。
本態様によれば、補助連結部が交差面同士の間に介在することで、第１パネル及び第２パネルと、第３パネルと、をより強固に連結することができる。
【００１２】
上記態様のパネル装置において、前記補助連結部は、上下方向を厚さ方向する板状であることが好ましい。
本態様によれば、補助連結部が上下方向を厚さ方向とする板状に形成されているので、パネル装置の利用者は補助連結部の上面等を利用して業務等を行うことができる。これにより、パネル装置の使用態様のバリエーションを広げることができる。
【００１３】
上記態様のパネル装置において、前記第１係合凹部には、前記第１係合凸部が上下方向の両側から挿入可能とされ、前記第２係合凹部には、前記第２係合凸部が上下方向の両側から挿入可能とされていることが好ましい。
本態様によれば、パネル装置の周囲の設置環境や不陸等に応じて第１パネル及び第２パネルと第３パネルとの組み付け方向を変更することができる。これにより、設置環境の自由度や組付工数の更なる向上を図ることができる。
【００１４】
上記態様のパネル装置において、前記第１パネルには、上下方向の一方側を開口部とし、上下方向の他方側を底部とする前記第１係合凹部が形成された第１係合部材が取り付けられ、前記第２パネルには、上下方向の一方側を開口部とし、上下方向の他方側を底部とする前記第２係合凹部が形成された第２係合部材が取り付けられ、前記第１パネル及び前記第２パネルは、上下方向の一方側を上方に向けた上向位置、及び上下方向の一方側を下方に向けた下向位置の何れかの向きで前記第３パネルに連結されていることが好ましい。  本態様によれば、第１パネル及び第２パネルの上下の向きを切り替え、係合凹部の開口方向を切り替えることで、係合凹部に対して上下方向の任意の方向から係合凸部を挿入することができる。これにより、係合凹部を備えるだけでの比較的安価な係合部材を用いて組み付け方向を不問とすることができる。
【００１５】
上記態様のパネル装置において、前記第１係合凸部は、前記第１係合凹部内において前記底部から離間した状態で保持され、前記第２係合凸部は、前記第２係合凹部内において前記底部から離間した状態で保持されていることが好ましい。
本態様によれば、係合凸部を係合凹部の底部に当接させる場合に比べ、設置環境や不陸、レイアウト変更等によるパネル同士の上下方向の位置のばらつきを係合凹部内でも吸収することができる。これにより、設置環境等に柔軟かつ適切に対応することができる。
【００１６】
本発明の一態様に係る空間構成体は、上記何れかの態様のパネル装置と、前記パネル装置に連結され、前記パネル装置とともに内部空間を形成する仕切部材と、をことが好ましい。
本態様によれば、内部空間の周囲をパネル装置や仕切部材によって取り囲むことで、周囲からの視線や音等をより遮り易い。
【発明の効果】
【００１７】
上記各態様によれば、部品点数の削減や組立効率の向上を図ることができる。
【図面の簡単な説明】
【００１８】
【図１】第１実施形態に係る空間構成体の斜視図である。
【図２】図１のＩＩ−ＩＩ線に相当する断面図である。
【図３】図２のＩＩＩ部拡大図である。
【図４】図３のＩＶ−ＩＶ線に相当するＴ字連結構造の断面図である。
【図５】第２小空間周辺を示す空間構成体の平面図である。
【図６】図２のＶ部拡大図である。
【図７】図６のＶＩＩ−ＶＩＩ線に沿う断面図である。
【図８】空間構成体の組立方法を示す工程図である。
【図９】空間構成体の組立方法を示す工程図である。
【図１０】空間構成体の組立方法を示す工程図である。
【図１１】図４に対応する断面図である。
【図１２】図７に対応する断面図である。
【図１３】第２実施形態に係る空間構成体の拡大斜視図である。
【図１４】第３実施形態に係る空間構成体において、図５のＸＩＶ部に相当する拡大図である。
【図１５】変形例に係る空間構成体において、図２に対応する断面図である。
【図１６】変形例に係る空間構成体の部分斜視図である。
【発明を実施するための形態】
【００１９】
次に、本発明の実施形態を図面に基づいて説明する。以下で説明する実施形態や変形例において、対応する構成については同一の符号を付して説明を省略する場合がある。なお、以下の説明において、例えば「平行」や「直交」、「中心」、「同軸」等の相対的又は絶対的な配置を示す表現は、厳密にそのような配置を表すのみならず、公差や同じ機能が得られる程度の角度や距離をもって相対的に変位している状態も表すものとする。また、本実施形態において、「向かい合う」とは、２つの面それぞれの直交方向（法線方向）が互いに一致している場合に限らず、直交方向同士が交差している場合も含んでいる。
【００２０】
［第１実施形態］
（空間構成体１）
まず、空間構成体１の全体のレイアウトについて説明する。図１は、空間構成体１の斜視図である。以下の説明において、上下方向をＺ方向とし、Ｚ方向に対して直交する２方向をＸ方向（第１方向）及びＹ方向（第２方向）として説明する。
図１に示す空間構成体１は、屋内施設に設置され、室内空間を小空間に区画するものである。本実施形態の空間構成体１は、複数のパネル同士がＸ方向及びＹ方向に組み合わされることで、各パネルが互いに支え合うことで自立する、いわゆる自立式パネル（ローパーティション）である。空間構成体１を構成する各パネルは、下端が床面Ｆに接地し、上端が天井面から離間している。空間構成体１は、複数のパネル同士がＸ方向及びＹ方向に組み合わされることで、Ｘ方向及びＹ方向に複数ずつの小空間を形成する。図示の例において、空間構成体１は、Ｘ方向に２列、Ｙ方向に３列の小空間を形成している。
【００２１】
空間構成体１は、エンドユニット（第１エンドユニット１１及び第２エンドユニット１２）と、センターユニット１３と、分岐ユニット（第１分岐ユニット１４及び第２分岐ユニット１５）と、サイドユニット（第１サイドユニット１６及び第２サイドユニット１７）と、オプション部材１８と、を備えている。
第１エンドユニット１１及び第２エンドユニット１２は、Ｙ方向に対向した状態で、Ｘ方向に沿って互いに平行に配置されている。各エンドユニット１１，１２は、複数（例えば、２枚）のエンドパネル２０Ａ，２０ＢがＹ方向を厚さ方向としてＸ方向に連結された構成である。
【００２２】
センターユニット１３は、第１エンドユニット１１及び第２エンドユニット１２の間をＹ方向に延在している。センターユニット１３は、各エンドユニット１１，１２におけるＸ方向の中央部（同一のエンドユニット１１，１２を構成する各エンドパネル２０Ａ，２０Ｂの境界部分）同士を架け渡している。センターユニット１３は、複数（例えば、３枚）のセンターパネル２１Ａ〜２１ＣがＸ方向を厚さ方向としてＹ方向に連結された構成である。
【００２３】
第１分岐ユニット１４は、センターユニット１３に対して＋Ｘ側に配置されている。第１分岐ユニット１４は、Ｙ方向を厚さ方向として配置された１枚以上（例えば、１枚）の第１分岐パネル２２を含んでいる。第１分岐パネル２２は、センターユニット１３のうち隣り合うセンターパネル２１Ａ〜２１Ｃ同士の境界部分に連結されている。第１分岐ユニット１４は、センターユニット１３に対して＋Ｘ側の空間を、Ｙ方向に仕切っている。
第２分岐ユニット１５は、センターユニット１３に対して−Ｘ側に配置されている。第２分岐ユニット１５は、Ｙ方向を厚さ方向として配置された１枚以上（例えば、１枚）の第２分岐パネル２３を含んでいる。第２分岐パネル２３は、センターユニット１３のうち隣り合うセンターパネル２１Ａ〜２１Ｃ同士の境界部分に連結されている。第２分岐ユニット１５は、センターユニット１３に対して−Ｘ側の空間を、Ｙ方向に仕切っている。
【００２４】
第１サイドユニット（仕切部材）１６は、第２エンドユニット１２の＋Ｘ側端部、及び第１分岐ユニット１４の＋Ｘ側端部にそれぞれ接続されている。第１サイドユニット１６は、Ｘ方向を厚さ方向とし、Ｙ方向に沿って配置された１枚以上（例えば、１枚）の第１サイドパネル２４を含んでいる。第１サイドユニット１６は、センターユニット１３に対して＋Ｘ側においてＹ方向で隣り合うパネル（エンドパネル２０Ａや第１分岐パネル２２）と、センターユニット１３と、で囲まれた空間をＸ方向に仕切っている。これにより、センターユニット１３に対して＋Ｘ側には、Ｙ方向で隣り合うパネルと、センターユニット１３と、第１サイドユニット１６と、で囲まれた第１小空間Ｓ１がＹ方向に複数形成されている。
【００２５】
第１サイドパネル２４は、センターパネル２１よりもＹ方向の寸法が短くなっている。したがって、第１サイドユニット１６の＋Ｙ側端部と、第１サイドユニット１６に対して＋Ｙ側に配置されたユニット（例えば、第１分岐ユニット１４又は第１エンドユニット１１）と、の間には、第１小空間Ｓ１の内外を連通させる第１出入口３１が形成される。
【００２６】
第２サイドユニット（仕切部材）１７は、第１エンドユニット１１の−Ｘ側端部、及び第２分岐ユニット１５の−Ｘ側端部にそれぞれ接続されている。第２サイドユニット１７は、Ｘ方向を厚さ方向とし、Ｙ方向に沿って配置された１枚以上（例えば、１枚）の第２サイドパネル２５を含んでいる。第２サイドユニット１７は、センターユニット１３に対して−Ｘ側においてＹ方向で隣り合うパネル（エンドパネル２０Ｂや第２分岐パネル２３）と、センターユニット１３と、で囲まれた空間をＸ方向に仕切っている。これにより、センターユニット１３に対して−Ｘ側には、Ｙ方向で隣り合うパネルと、センターユニット１３と、第２サイドユニット１７と、で囲まれた第２小空間Ｓ２がＹ方向に複数形成されている。
【００２７】
第２サイドパネル２５は、センターパネル２１よりもＹ方向の寸法が短くなっている。したがって、第２サイドユニット１７の−Ｙ側端部と、第２サイドユニット１７に対して−Ｙ側に配置されたユニット（例えば、第２分岐ユニット１５又は第２エンドユニット１２）と、の間には、第２小空間Ｓ２の内外を連通させる第２出入口３２が形成される。
【００２８】
このように、本実施形態では、センターユニット１３を隔ててＸ方向に並んだ第１小空間Ｓ１及び第２小空間Ｓ２が、第１出入口３１及び第２出入口３２のＹ方向の位置を異ならせた状態で、それぞれＹ方向に複数（例えば、３つ）並んで配置されている。但し、小空間の数や大きさ等は、適宜変更が可能である。また、本実施形態では、第１小空間Ｓ１及び第２小空間Ｓ２がＸ方向に対向するレイアウトについて説明したが、これに限られない。例えば、第１小空間Ｓ１及び第２小空間Ｓ２同士がＸ方向で対向しないように（互い違い）配置したり、第１小空間Ｓ１のみ又は第２小空間Ｓ２のみを設けたりしてもよい。
【００２９】
続いて、各パネル間の連結構造を説明する。
＜Ｔ字連結構造１００＞
第１エンドユニット１１とセンターユニット１３とを例にして、３枚のパネルを平面視でＴ字状に連結する構造（以下、Ｔ字連結構造１００という。）について説明する。なお、本実施形態に係るパネル装置は、Ｔ字連結構造１００を介して組み合わされた３枚のパネルを少なくとも有している。以下の説明において、各パネルにおいて同様の構成には同一の符号を付して説明を適宜省略する場合がある。
【００３０】
＜第１エンドユニット１１＞
図２は、図１のＩＩ−ＩＩ線に相当する断面図である。
図１、図２に示すように、第１エンドユニット１１のエンドパネル２０Ａ，２０Ｂを、第１エンドパネル（第１パネル）２０Ａ及び第２エンドパネル（第２パネル）２０Ｂとする。
第１エンドパネル２０Ａは、パネル本体３５と、アジャスタ３６と、受けクリップ（第１係合部材、第２係合部材）３７と、を備えている。
パネル本体３５は、第１エンドパネル２０Ａの外殻を構成する。パネル本体３５は、例えば木材を基材とし、外表面が化粧材によって覆われた板状に形成されている。なお、パネル本体３５は、外形が板状であれば、例えば金属製等でもよく、基材が不織布や織布等で覆われている構成であってもよい。また、パネル本体３５の一部が、ガラスやメッシュ等で構成されていてもよい。
【００３１】
アジャスタ３６は、パネル本体３５の下端において、Ｘ方向の両端部に設けられている。第１エンドパネル２０Ａは、アジャスタ３６を介して床面Ｆに接地する。アジャスタ３６は、パネル本体３５の下端からの突出量が変更可能に構成されている。
【００３２】
図３は、図２のＩＩＩ部拡大図である。
図２、図３に示すように、パネル本体３５の−Ｘ側端部（第２エンドパネル２０Ｂ側の端部）には、切欠き部４１が形成されている。切欠き部４１は、パネル本体３５の−Ｘ側端部において、−Ｘ側及び−Ｙ側の２方向に開放されている。切欠き部４１は、上下方向（Ｚ方向）に間隔をあけて複数配置されている。
【００３３】
図４は、図３のＩＶ−ＩＶ線に相当するＴ字連結構造１００の断面図である。
図３、図４に示すように、受けクリップ３７は、各切欠き部４１内にそれぞれ設けられている。受けクリップ３７は、各切欠き部４１の内面のうち、−Ｙ側を向く面（以下、取付面４１ａという。）に取り付けられている。受けクリップ３７は、金属等からなる板材がプレス加工等によって形成されている。具体的に、受けクリップ３７は、第１ベース４５と、第２ベース４６と、各ベース４５，４６同士の間を接続する接続部４７と、を備えている。なお、本実施形態では、受けクリップ３７の全体が切欠き部４１内に収まっている。
【００３４】
各ベース４５，４６は、切欠き部４１の取付面４１ａに沿ってＺ方向に間隔をあけて配置されている。各ベース４５，４６は、ビス等によって切欠き部４１の取付面４１ａに固定されている。
接続部４７は、Ｘ方向から見た側面視で−Ｙ側に膨出するアーチ状に形成されている。具体的に、接続部４７は、第１ベース４５の下端から−Ｙ側に起立した第１起立片５０と、第２ベース４６の上端から−Ｙ側に起立した第２起立片５１と、起立片５０，５１の先端部同士を架け渡す係合片５２と、を備えている。係合片５２は、切欠き部４１の取付面４１ａに対して離間して配置されている。
【００３５】
接続部４７には、係合凹部（第１係合凹部、第２係合凹部）５３が形成されている。係合凹部５３は、接続部４７を厚さ方向に貫通して、第２起立片５１から係合片５２に亘って延びている。具体的に、係合凹部５３は、受入部５６と、保持部５７と、が連なって形成されている。
【００３６】
受入部５６は、第２起立片５１を上下方向に貫通している。
保持部５７は、係合片５２において受入部５６から上方に連なっている。保持部５７は、上下方向に直線状に延びるＵ字状の溝である。すなわち、本実施形態の保持部５７は、下方に開口する開口部を有し、上端が係合片５２によって閉塞された底部となっている。保持部５７の下部は、上方に向かうに従いＸ方向の幅が漸次縮小している。本実施形態において、保持部５７の底部は、受けクリップ３７の上下方向の中心よりも上方に位置している。
【００３７】
係合片５２のうち保持部５７の周囲に位置する部分には、引き込み部５９が形成されている。引き込み部５９は、保持部５７の開口縁に向かうに従い切欠き部４１の取付面４１ａに向けて延び、かつ上方に向かうに従い切欠き部４１の取付面４１ａに向けて延びている。
【００３８】
図３に示すように、パネル本体３５のうち−Ｘ側を向く端面には、−Ｘ側に向けて開口する嵌合凹部５５が形成されている。嵌合凹部５５は、切欠き部４１と上下方向で異なる位置に複数形成されている。
【００３９】
第２エンドパネル２０Ｂは、Ｘ方向に直交する対称面を基準として第１エンドパネル２０Ａと面対称に形成されている。第２エンドパネル２０Ｂのパネル本体３５において、＋Ｘ側端部（第１エンドパネル２０Ａ側の端部）には、第１エンドパネル２０Ａと同様の切欠き部４１が形成されている。切欠き部４１は、第１エンドパネル２０Ａの切欠き部４１と上下方向で同じ位置に形成されている。したがって、第１エンドパネル２０Ａ及び第２エンドパネル２０Ｂにおいて、同じ高さに形成された切欠き部４１同士は、互いに連通している。また、第２エンドパネル２０Ｂの切欠き部４１内には、受けクリップ３７が設けられている。受けクリップ３７は、第１エンドパネル２０Ａと同様、保持部５７の開口部を下向きにして切欠き部４１内に設けられている。
【００４０】
第２エンドパネル２０Ｂのパネル本体３５のうち＋Ｘ側端面には、＋Ｘ側に向けて開口する嵌合凹部５５が形成されている。第２エンドパネル２０Ｂの嵌合凹部５５は、第１エンドパネル２０Ａの嵌合凹部５５と上下方向で同じ位置に形成されている。
【００４１】
第１エンドパネル２０Ａ及び第２エンドパネル２０Ｂは、Ｘ方向で互いに対向する端面同士を突き当てた状態で組み付けられる。具体的に、各エンドパネル２０Ａ，２０Ｂの対応する嵌合凹部５５内には、位置決めピン（接続部）６７が嵌合されている。位置決めピン６７は、いわゆるダボであって、一方の端部が第１エンドパネル２０Ａの嵌合凹部５５内に嵌合され、他方の端部が第２エンドパネル２０Ｂの嵌合凹部６５内に嵌合されることで、各エンドパネル２０Ａ，２０Ｂ同士を接続している。各エンドパネル２０Ａ，２０Ｂ同士は、位置決めピン６７によって、Ｘ方向に相対移動可能に、かつＹ方向及びＺ方向に相対移動可能に接続される。なお、嵌合凹部５５や位置決めピン６７を有さない構成であってもよい。
【００４２】
＜センターユニット１３＞
図１に示すように、センターパネル２１Ａ〜２１Ｃは、第１センターパネル（第３パネル）２１Ａ、第２センターパネル２１Ｂ及び第３センターパネル２１Ｃである。各センターパネル２１Ａ〜２１Ｃは、Ｘ方向を厚さ方向とした状態で、Ｙ方向に並んで配置されている。各センターパネル２１Ａ〜２１Ｃのパネル本体６１は、各エンドパネル２０Ａ，２０Ｂのパネル本体３５と同様の外形に形成されている。但し、パネル本体６１の外形や種類（材質等）は、パネル本体３５と異なっていてもよい。
【００４３】
図３、図４に示すように、第１センターパネル２１Ａは、第１エンドパネル２０Ａ及び第２エンドパネル２０Ｂの境界部分に対してＹ方向に突き合わされている。第１センターパネル２１Ａのパネル本体６１のうち＋Ｙ側端面には、第１係合凸部７０及び第２係合凸部７１が設けられている。
【００４４】
図４に示すように、第１係合凸部７０は、第１エンドパネル２０Ａの受けクリップ３７に係合される。第１係合凸部７０は、第１エンドパネル２０Ａの受けクリップ３７に対応して上下方向に間隔をあけて配置されている。第１係合凸部７０は、いわゆるショルダースクリューである。具体的に、第１係合凸部７０は、頭部７３と、頭部７３から突出する首部７４と、首部７４に連なる雄ねじ部７５と、首部７４と雄ねじ部７５との境界部分に形成されたフランジ部７６と、を備えている。第１係合凸部７０は、フランジ部７６が第１センターパネル２１Ａの＋Ｙ側端面に突き当たる位置まで雄ねじ部７５をねじ込むことで、首部７４が第１センターパネル２１Ａにおけるパネル本体６１から突出した状態で、パネル本体６１に固定されている。
【００４５】
図３に示すように、第２係合凸部７１は、第２エンドパネル２０Ｂの受けクリップ３７に係合される。第２係合凸部７１は、第２エンドパネル２０Ｂの受けクリップ３７に対応して上下方向に間隔をあけて配置されている。第２係合凸部７１は、第１係合凸部７０と同様の構成である。第２係合凸部７１は、対応する第１係合凸部７０と隣り合った状態で、第１センターパネル２１Ａにおけるパネル本体６１の＋Ｙ側端面に固定されている。
【００４６】
Ｔ字連結構造１００では、第１係合凸部７０が、第１エンドパネル２０Ａの受けクリップ３７に係合され、第２係合凸部７１が第２エンドパネル２０Ｂの受けクリップ３７に係合される。これにより、第１エンドパネル２０Ａ及び第２エンドパネル２０Ｂは、第１センターパネル２１Ａを介して組み付けられている。具体的に、第１係合凸部７０は、第１エンドパネル２０Ａの受けクリップ３７の係合凹部５３に対し首部７４を下方から差し入れることで、受けクリップ３７に係合されている。すなわち、第１係合凸部７０は、頭部７３とフランジ部７６との間に引き込み部５９を挟んだ状態で受けクリップ３７に保持されている。
【００４７】
第２係合凸部７１は、第２エンドパネル２０Ｂの受けクリップ３７の係合凹部５３に対し首部７０ｂを下方から差し入れることで、受けクリップ３７に係合されている。その結果、第１エンドユニット１１及びセンターユニット１３は、第１エンドパネル２０Ａ及び第２エンドパネル２０Ｂの境界部分から第１センターパネル２１ＡがＹ方向に沿って延びる平面視でＴ字状に組み付けられる。
【００４８】
ここで、エンドパネル２０Ａ，２０Ｂ及び第１センターパネル２１Ａの上端面が面一に配置された状態を、第１係合凸部７０及び受けクリップ３７同士、並びに第２係合凸部７１及び受けクリップ３７同士の係合位置とする。この際、第１係合凸部７０は、受けクリップ３７（保持部５７）における上下方向の中央部で保持されている。同様に、第２係合凸部７１は、受けクリップ３７（保持部５７）における上下方向の中央部で保持されている。すなわち、各係合凸部７０，７１は、係合凹部５３の底部から下方に離間した位置で受けクリップ３７に係合している。
【００４９】
図２に示すように、複数の受けクリップ３７（及び複数の係合凸部７０，７１）は、各パネル本体３５，６１において、それぞれ上下方向に等間隔に設けられている。例えば、第１エンドパネル２０Ａを例にすると、４つの受けクリップ３７がパネル本体３５に等間隔に設けられている。４つの受けクリップ３７は、パネル本体３５の上下方向の中心をＸ方向に延びる対称線Ｌａに対して上下対称に配置されている。すなわち、本実施形態では、４つの受けクリップ３７は、対称線Ｌａに対して最も近くに配置された第１組３７ａと、第１組３７ａに対して上下方向の両側（対称線Ｌａに対して離れた位置）に配置された第２組３７ｂと、を備えている。したがって、第１エンドパネル２０Ａは、上下反転した場合であっても、同一の組３７ａ，３７ｂを構成する受けクリップ３７同士の対称線Ｌａまでの距離は同一になっている。但し、受けクリップ３７は、対称線Ｌａに対して上下対称の位置に１組であっても、３組以上の複数組であってもよい。
【００５０】
図５は、第２小空間Ｓ２周辺を示す空間構成体１の平面図である。
なお、図５に示すように、各センターパネル２１Ａ〜２１Ｃ同士は、上述したエンドパネル２０Ａ，２０Ｂ同士と同様に位置決めピン６７を介して互いに連結されている。また、第２エンドパネル２０Ｂ及び第３センターパネル２１Ｃ同士や、センターユニット１３及び分岐ユニット１４同士は、上述したＴ字連結構造１００と同様の方法によって、平面視でＴ字状に組み付けられている。センターユニット１３及び第１分岐ユニット１４同士、又はセンターユニット１３及び第２分岐ユニット１５同士をＴ字連結構造１００によって連結する場合には、Ｙ方向に隣り合うセンターパネル同士が第１パネル及び第２パネルを構成し、分岐パネル２２，２３が第３パネルを構成する。
【００５１】
＜Ｌ字連結構造１１０＞
次に、第２エンドパネル２０Ｂと第２サイドパネル２５とを例にして、パネル同士を平面視でＬ字状に連結する構造（以下、Ｌ字連結構造１１０という。）について説明する。図６は、図２のＶ部拡大図である。図７は、図６のＶＩＩ−ＶＩＩ線に沿う断面図である。なお、以下の説明において、Ｔ字連結構造１００と同様の構成については同一の符号を付して説明を省略する。
図６、図７に示すように、第２エンドパネル２０Ｂにおいて、パネル本体３５の−Ｘ側端部には、切欠き部８０が形成されている。切欠き部８０は、パネル本体３５の−Ｘ側端部において、−Ｙ側のみに開放されている。切欠き部８０は、例えば切欠き部４１と同一ピッチで上下方向に間隔をあけて複数配置されている（図２参照）。
【００５２】
切欠き部８０内には、受けクリップ８１が設けられている。受けクリップ８１は、上述した受けクリップ３７と同一の構成である。受けクリップ８１は、切欠き部８０の底面に、受けクリップ３７と上下反転した状態で取り付けられている。すなわち、受けクリップ８２は、係合凹部５３が上方に開口し、係合片５２が底面から−Ｙ側に離間した状態で配置されている。本実施形態において、４つの受けクリップ８１は、対称線Ｌａに対して最も近くに配置された第１組８１ａと、第１組８１ａに対して上下方向の両側（対称線Ｌａに対して離れた位置）に配置された第２組８１ｂと、を備えている。したがって、第１エンドパネル２０Ａは、上下反転した場合であっても、同一の組８１ａ，８１ｂを構成する受けクリップ８１同士の対称線Ｌａまでの距離は同一になっている。
【００５３】
第２サイドパネル２５は、パネル本体８５の厚さ方向をＸ方向とした状態で、第２エンドパネル２０Ｂの−Ｘ側端部に連結されている。第２サイドパネル２５において、パネル本体８５の＋Ｙ側端面には、係合凸部８６が設けられている。係合凸部８６は、上述した各係合凸部７０，７１と同様の構成であって、首部７４が＋Ｙ側に突出した状態でパネル本体８５に固定されている。
【００５４】
係合凸部８６は、第２エンドパネル２０Ｂの受けクリップ８１の係合凹部５３に対し首部７４を上方から差し入れることで、受けクリップ８１に係合されている。すなわち、係合凸部８６は、頭部７３とフランジ部７０ｃとの間に引き込み部５９を挟んだ状態で受けクリップ８１に保持されている。第２エンドパネル２０Ｂ及び第２サイドパネル２５の上端面が面一に配置された状態を、係合凸部８３及び受けクリップ８１同士の係合位置とする。この際、係合凸部８６は、受けクリップ８１における上下方向の中央部で保持されている。すなわち、係合凸部８６は、係合凹部５３の底部から上方に離間した位置で受けクリップ８１に係合している。
【００５５】
なお、第１分岐ユニット１４及び第１サイドユニット１６同士や、第２分岐ユニット１５及び第２サイドユニット１７同士、第２エンドユニット１２及び第２サイドユニット１６同士は、上述したＬ字連結構造１１０と同様の方法によって、平面視でＬ字状に組み付けられている。
【００５６】
＜オプション部材１８＞
次に、オプション部材１８について説明する。
図１に示すように、オプション部材１８は、各小空間Ｓ１，Ｓ２ごとに設けられている。以下の説明では、各第２小空間Ｓ２のうち、第２エンドパネル２０Ｂ、第１センターパネル２１Ａ、第２分岐パネル２３、第２サイドパネル２５で囲まれた第２小空間Ｓ２を例にして、オプション部材１８を説明する。図５に示すように、オプション部材１８は、天板９０や照明９１、フック９２等を有している。
【００５７】
天板９０は、上下方向を厚さ方向として、第２小空間Ｓ２内における上下方向の中央部に配置されている。具体的に、天板９０は、第２エンドパネル２０Ｂ、第１センターパネル２１Ａ及び第２サイドパネル２５のそれぞれに設けられたブラケット９４により支持されている。ブラケット９４は、上下方向に沿う断面視でＬ字状に形成されている。ブラケット９４は、第１端部が各パネル２０Ａ，２１Ａ，２５のそれぞれにビス等によって固定され、第２端部が第２小空間Ｓ２に張り出している。
【００５８】
天板９０は、平面視で矩形状に形成されている。天板９０の外周縁のうち＋Ｙ側端縁は、第２エンドパネル２０Ｂにおける−Ｙ側を向く面に沿って配置されている。天板９０の外周縁のうち＋Ｘ側端縁は、第２サイドパネル２５における−Ｘ側を向く面に沿って配置されている。天板９０の外周縁のうち−Ｘ側端縁は、第１センターパネル２１Ａにおける＋Ｘ側を向く面に沿って配置されている。天板９０は、各パネル２０Ａ，２１Ａ，２５に設けられたブラケット９４の第２端部に下方から支持されている。各ブラケット９４の第２端部は、ビス等によって天板９０の下面に固定されている。これにより、天板９０は、隣り合うパネル２０Ａ，２１Ａ，２５のうち、第２小空間Ｓ２を向く面（各パネル２０Ａ，２１，２５の互いに交差する交差面）に沿ってパネル２０Ａ，２１Ａ，２５間を跨って固定されている。
【００５９】
照明９１は、例えば第１センターパネル２１Ａにおいて天板９０よりも上方に位置する部分に固定されている。
フック９２は、例えば第１センターパネル２１Ａにおいて照明９１よりも−Ｙ側に位置する部分に固定されている。なお、オプション部材１８としては、上述したもの以外に、棚等であってもよい。
【００６０】
上述した空間構成体１において、例えば第２小空間Ｓ２を利用する場合には、第２出入口３２を通じて第２小空間Ｓ２に進入することができる。第２小空間Ｓ２は、各パネルによって外部空間と隔てて形成されている。そのため、周囲の視線や音等を遮った状態で、利用者は業務等を行うことができる。
【００６１】
［空間構成体１の組立方法］
次に、上述した空間構成体１の組立方法について説明する。図８から図１０は、空間構成体１の組立方法を示す工程図である。図１１は、図４に対応する断面図である。図１２は、図７に対応する断面図である。
まず、図８に示すように、センターユニット１３を組み立てる（単ユニット組立工程）。具体的には、センターパネル２１Ａ〜２１Ｃ同士を位置決めピン６７を用いて連結する。これにより、センターパネル２１Ａ〜２１Ｃ同士がＹ方向に相対変位可能で、かつＸ方向及び上下方向に相対変位不能に組み付けられる。
【００６２】
続いて、第１エンドユニット１１を組み付ける。具体的には、上述した単ユニット組立工程と同様の方法にて、第１エンドパネル２０Ａ及び第２エンドパネル２０Ｂを位置決めピン６７を用いて連結する。これにより、第１エンドパネル２０Ａ及び第２エンドパネル２０ＢがＸ方向に相対変位可能で、かつＹ方向及びＺ方向に相対変位不能に組み付けられる。
【００６３】
次に、センターユニット１３と第１エンドユニット１１とを組み付ける（Ｔ字連結工程）。具体的には、受けクリップ３７における係合凹部５３の開口部が下向きとなるように第１エンドユニット１１を把持する（下向位置）。そして、第１エンドユニット１１の上端が、センターユニット１３の上端に対して上方に位置するように第１エンドユニット１１を持ち上げる。その後、第１エンドユニット１１がＹ方向を厚さ方向とし、センターユニット１３がＸ方向を厚さ方向とした状態で、第１エンドユニット１１とセンターユニット１３とをＹ方向に接近させる。この際、図１１に示すように、第１エンドパネル２０Ａの対応する切欠き部４１内において受けクリップ３７よりも下方に各第１係合凸部７０を進入させ、第２エンドパネル２０Ｂの対応する切欠き部４１内において受けクリップ３７の下方に各第２係合凸部７１を進入させる。この状態で、第１エンドユニット１１をセンターユニット１３に対して下降させる。
【００６４】
すると、第１係合凸部７０が第１エンドパネル２０Ａの受けクリップ３７の係合凹部５３内に下方から進入するとともに、第２係合凸部７１が第２エンドパネル２０Ｂの受けクリップ３７の係合凹部５３内に下方から進入する。そして、第１エンドユニット１１がアジャスタ３６を介して床面Ｆに接地するまで第１エンドユニット１１を下降させることで、各係合凸部７０，７１が対応する受けクリップ３７の保持部５７に上下方向の中央部で係合する。その結果、第１センターパネル２１Ａと第１エンドパネル２０Ａとが第１係合凸部７０及び受けクリップ３７を介して連結され、第１センターパネル２１Ａと第２エンドパネル２０Ｂとが第２係合凸部７１及び受けクリップ３７を介して連結される。このように、本実施形態では、第１エンドユニット１１を構成するエンドパネル２０Ａ，２０Ｂ同士が、第１センターパネル２１Ａによって少なくともＸ方向及びＹ方向に相対変位不能に連結される。
【００６５】
次に、図９、図１１に示すように、上述したＴ字連結工程と同様の方法により、センターユニット１３と第２エンドユニット１２とを組み付ける。具体的には、第３センターパネル２１Ｃの係合凸部７０，７１を、第２エンドユニット１２の切欠き部４１内において受けクリップ３７の下方に位置する部分に進入させた状態で、第２エンドユニット１２をセンターユニット１３に対して下降させる。これにより、各係合凸部７０，７１と対応する受けクリップ３７同士とが係合することで、第２エンドユニット１２を構成するエンドパネル２０Ａ，２０Ｂ同士が、第３センターパネル２１Ｃによって少なくともＸ方向及びＹ方向に相対変位不能に連結される。
【００６６】
次に、上述したＴ字連結工程と同様の方法により、センターユニット１３に対して各分岐ユニット１４，１５を組み付けていく。
【００６７】
次に、図１０、図１２に示すように、エンドユニット１１，１２又は分岐ユニット１４，１５に対してサイドユニット１６，１７を組み付けていく（Ｌ字連結工程）。以下では、第２エンドパネル２０Ｂと第２サイドパネル２５とを例にして、Ｌ字連結工程について説明する。まず、第２サイドパネル２５の係合凸部８６が、第２エンドパネル２０Ｂの対応する切欠き部８０内において受けクリップ８１の上方に位置するように、第２サイドパネル２５と第２エンドパネル２０ＢとをＹ方向に接近させる。続いて、第２エンドパネル２０Ｂに対して第２サイドパネル２５を下降させる。すると、各係合凸部８６が対応する係合凹部５３内に上方から進入する。そして、第２サイドパネル２５がアジャスタ３６を介して床面Ｆに接地するまで第２サイドパネル２５を下降させることで、各係合凸部８６が対応する受けクリップ８１の保持部５７に上下方向の中央部で係合する。その結果、第２エンドパネル２０Ｂと第２サイドパネル２５とが、係合凸部８６及び受けクリップ８１を介して少なくともＸ方向及びＹ方向に相対変位不能に連結される。
その後、他のサイドパネル２４，２５も同様に、第１エンドユニット１１又は分岐ユニット１４，１５に組み付ける。これにより、複数の小空間Ｓ１，Ｓ２が形成される。なお、各パネルの上端位置や不陸等の調整は、各パネルユニットに設けられたアジャスタ等によって行う。
【００６８】
次に、各小空間Ｓ１，Ｓ２に各種オプション部材１８を取り付ける。
以上により、上述した空間構成体１が完成する。
【００６９】
このように、本実施形態では、３枚のパネルを平面視でＴ字状に連結するＴ字連結構造１００において、例えば第１センターパネル２１Ａの各係合凸部７０，７１が、各エンドパネル２０Ａ，２０Ｂの係合凹部５３に上下方向で挿入されることで第１センターパネル２１Ａを介して各エンドパネル２０Ａ，２０Ｂを連結する構成とした。
この構成によれば、第１センターパネル２１Ａと各エンドパネル２０Ａ，２０Ｂとを上下方向に相対移動させるだけで、各係合凸部７０，７１と受けクリップ３７とが係合する。これにより、別部材を必要とすることなく、簡易な組立工程でパネル同士を平面視でＴ字状に連結することができる。よって、部品点数の削減や組立効率の向上を図ることができる。その結果、初期設置やレイアウト変更時に対して迅速に対応するこができる。
【００７０】
本実施形態では、例えばエンドパネル２０Ａ，２０Ｂ同士をＸ方向に移動可能に、かつＹ方向及び上下方向に移動不能に連結する位置決めピン６７を備える構成とした。
この構成によれば、第１センターパネル２１Ａを各エンドパネル２０Ａ，２０Ｂに組み付ける前に、各エンドパネル２０Ａ，２０Ｂ同士を仮組みしておくことができる。これにより、各エンドパネル２０Ａ，２０Ｂに第１センターパネル２１Ａを組み付ける際に各エンドパネル２０Ａ，２０Ｂ同士の位置ずれを抑制できる。よって、組立効率の向上を図ることができる。
特に、位置決めピン６７は、各エンドパネル２０Ａ，２０Ｂ同士をＸ方向に移動可能に連結するので、例えば各エンドパネル２０Ａ，２０Ｂ同士をＸ方向に接近させるだけで、各エンドパネル２０Ａ，２０Ｂの仮組みが可能になる。
【００７１】
本実施形態では、例えば第２エンドパネル２０Ｂと第１センターパネル２１Ａとの互いに交差する交差面を跨って天板９０が固定される構成とした。
この構成によれば、天板９０が第２エンドパネル２０Ｂと第１センターパネル２１Ａとに連結されることで、第２エンドパネル２０Ｂと第１センターパネル２１Ａとを強固に連結することができる。
しかも、補助連結部として上下方向を厚さ方向とする天板９０を採用することで、小空間Ｓ１，Ｓ２の利用者は天板９０を利用して業務等を行うことができる。これにより、空間構成体１の使用態様のバリエーションを広げることができる。
【００７２】
本実施形態では、係合凸部７０，７１が保持部５７の底部から離間した状態で係合凹部５３内に係合された構成とした。
この構成によれば、係合凸部７０，７１を保持部５７の底部に当接させる場合に比べ、設置環境や不陸、レイアウト変更等による第１エンドユニット１１とセンターユニット１３との上下方向の位置のばらつきを保持部５７内でも吸収することができる。これにより、設置環境等に柔軟かつ適切に対応することができる。
【００７３】
本実施形態では、受けクリップ３７，８１が切欠き部４１，８０内にそれぞれ配置されている。
この構成によれば、パネル本体に対する受けクリップ３７，８１の位置決めを行い易い。
【００７４】
本実施形態の空間構成体１は、上述したＴ字連結構造１００に対してＬ字連結構造１１０によってサイドパネル２４，２５が連結されている。そのため、小空間（内部空間）Ｓ１，Ｓ２の周囲をパネルによって取り囲むことができ、周囲からの視線や音等をより遮り易い。
【００７５】
［第２実施形態］
図１３は、第２実施形態に係る空間構成体１の拡大斜視図である。本実施形態では、第１エンドユニット１１に対してセンターユニット１３の反対側に構造体の壁面Ｃ（例えば、屋内施設の壁面等）が配置された状態を例にして説明する。この場合には、上述した第１実施形態のようにセンターユニット１３に対して第１エンドユニット１１を上下方向に移動させることが難しい。
【００７６】
そこで、本実施形態の空間構成体１を組み立てるにあたっては、係合凹部５３が上向きとなるようにして、第１エンドユニット１１を壁面Ｃに沿って配置する（上向位置）。すなわち、本実施形態の第１エンドユニット１１では、第１実施形態の第１エンドユニット１１を上下反転して床面Ｆに設置する。上述したように各受けクリップ３７は、パネル本体３５の上下方向の中心をＸ方向に延びる対称線Ｌａに対して上下対称に配置されている（図２参照）。したがって、第１エンドユニット１１を上下反転した場合であっても、各組３７ａ，３７ｂを構成する受けクリップ３７の対称線Ｌａからの距離は変わらないようになっている。
【００７７】
この状態で、第１実施形態のＴ字連結工程と同様の方法により、第１エンドユニット１１に対して第１センターパネル２１Ａを組み付ける。具体的には、第１センターパネル２１Ａの係合凸部７０，７１を、第１エンドユニット１１の切欠き部４１内において受けクリップ３７の上方に位置する部分に進入させた状態で、第１センターパネル２１Ａを第１エンドユニット１１に対して下降させる。第１センターパネル２１Ａがアジャスタ３６を介して床面Ｆに接地するまで第１センターパネル２１Ａを下降させることで、各係合凸部７０，７１が対応する受けクリップ３７の保持部５７に上下方向の中央部で係合する。これにより、各係合凸部７０，７１と対応する受けクリップ３７同士とが係合することで、第１エンドユニット１１を構成するエンドパネル２０Ａ，２０Ｂ同士が、第１センターパネル２１Ａによって少なくともＸ方向及びＹ方向に相対変位不能に連結される。
【００７８】
次に、第１センターパネル２１Ａに対して第２センターパネル２１Ｂ及び第３センターパネル２１Ｃを組み付け、センターユニット１３を完成させる。その後、センターユニット１３に対して第２エンドユニット１２や各分岐ユニット１４，１５、サイドユニット１６，１７を順次組み付けていく。
【００７９】
なお、第１エンドユニット１１を上下反転させる場合において、アジャスタ３６は第１エンドユニット１１の向きに関わらず常にパネル本体３５の下端に取り付けられる。このような構成としては、パネル本体３５の上下端面にアジャスタ３６の取付孔を設けておき、未使用の取付孔（設置状態において上端に位置する取付孔）をキャップ等により被覆しておいてもよい。
【００８０】
本実施形態では、係合凹部５３に対して上下方向の両側から係合凸部７０，７１を挿入可能な構成とした。
この構成によれば、空間構成体１の周囲の設置環境や不陸等に応じて第１エンドユニット１１の組み付け方向を変更することができる。これにより、設置環境の自由度や組付工数の更なる向上を図ることができる。
【００８１】
しかも、本実施形態では、第１エンドユニット１１の上下の向きを切り替え、受けクリップ３７の係合凹部５３の開口方向を切り替えることで、係合凹部５３に対して上下方向の任意の方向から係合凸部７０，７１を挿入することができる。これにより、係合凹部５３を備えるだけでの比較的安価な受けクリップ３７を用いて組み付け方向を不問とすることができる。
【００８２】
［第３実施形態］
図１４は、第３実施形態に係る空間構成体１において、図５のＸＩＶ部に相当する拡大図である。本実施形態では、例えば第１エンドユニット１１とセンターユニット１３において、各ユニット１１，１３同士を補助連結部２００で連結している点で、上述した実施形態と相違している。
図１４に示すように、センターユニット１３に対して天板９０とは反対側（第１小空間Ｓ１内）に設けられている。すなわち、補助連結部２００は、例えば第１エンドユニット１１とセンターユニット１３とがなす各交差面同士のうち、第１エンドパネル２０Ａと第１エンドパネル２０Ａとの交差面を跨って固定されている。補助連結部２００は、第１片２００ａ及び第２片２００ｂが平面視でＬ字状に屈曲された構成である。
【００８３】
補助連結部２００の第１片２００ａは、第１エンドパネル２０Ａにおける第１小空間Ｓ１を向く面（−Ｙ側を向く面）にビス等によって固定されている。一方、補助連結部２００の第２片２００ｂは、第１センターパネル２１Ａにおける第１小空間Ｓ１を向く面（＋Ｘ側を向く面）にビス等によって固定されている。
【００８４】
本実施形態では、第１エンドパネル２０Ａと第１センターパネル２１Ａとの互いの交差面同士に跨って補助連結部２００が固定される。
この構成によれば、第１エンドパネル２０Ａと第１センターパネル２１Ａとがなす交差面同士がなす角度が拡大又は縮小する方向への第１エンドパネル２０Ａと第１センターパネル２１Ａとの変位を規制できる。これにより、第１エンドパネル２０Ａと第１センターパネル２１Ａとを強固に連結することができる。
特に、補助連結部２００が第１エンドパネル２０Ａと第１センターパネル２１Ａとがなす交差面同士の間に介在していることで、空間構成体１の上方空間を開放した上で、第１エンドパネル２０Ａ及び第１センターパネル２１Ａ同士をより強固に連結できる。
【００８５】
（その他の変形例）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、第１パネル及び第２パネルに相当する第１エンドユニット１１に係合凹部５３（受けクリップ３７）が設けられ、第３パネルに相当するセンターユニット１３に係合凸部７０，７１が設けられた構成について説明したが、この構成に限られない。例えば、第１パネル及び第２パネルにそれぞれ係合凸部が設けられ、第３パネルに第１パネル及び第２パネルに対応する係合凹部が設けられていてもよい。
また、図１５に示すように、第１エンドパネル２０Ａに係合凹部５３が下向きになるように受けクリップ３７を設け、第２エンドパネル２０Ｂに第２係合凸部７１を設けてもよい。この場合、第１センターパネル２１Ａのうち受けクリップ３７に対応する部分に第１係合凸部７０を設け、第２係合凸部７１に対応する部分に係合凹部５３が上向きになるように受けクリップ３７を設けてもよい。このような構成においても、エンドユニット１１とセンターユニット１３との上下方向の相対移動によって、各エンドパネル２０Ａ，２０Ｂ同士をセンターユニット１３によってＴ字状に連結することが可能である。
【００８６】
上述した実施形態では、パネル自体を上下反転させて、係合凹部への挿入方向を切り替える構成について説明したが、この構成に限られない。例えば、パネルの向きをそのままにした状態で、受けクリップ３７のみを上下反転させるような構成であってもよい。
上述した実施形態では、空間構成体１がサイドユニット１６，１７によって小空間Ｓ１，Ｓ２に区画する構成について説明したが、この構成に限られない。例えば、上述したＴ字連結構造１００を構成するパネルのみ、又はＬ字連結構造１１０を構成するパネルのみでパネル装置を構成していてもよい。
上述した実施形態では、各パネルが互いに直交した状態で連結される構成について説明したが、この構成に限られない。各パネルは、互いに交差する方向に延在した状態で連結されていればよい。この場合には、各パネルのうち、互いに突き当たる端面を傾斜面等にしてもよい。
【００８７】
また、空間構成体１として、仕切部材がサイドユニット１６，１７のように空間をＸ方向で仕切る構成に限られない。例えば仕切部材は、天板や天井材等のように空間を上下方向に仕切っていてもよい。
上述した実施形態では、係合凸部や係合凹部がパネル本体に固定された構成について説明したが、この構成に限らず、パネル本体に対して係合凸部や係合凹部が一体で形成されていてもよい。
【００８８】
上述した実施形態では、係合凹部が上下方向の一方側のみに開口する構成について説明したが、この構成に限られない。係合凹部は、上下両側に開口していてもよい。この場合においても、係合凸部に対して係合凹部が上下方向の両側から挿入可能となる。
上述した実施形態では、パネル装置をローパーティションに採用した場合について説明したが、この構成に限られない。例えば、パネル装置を天板や棚、椅子の座等、荷重支持面（上面）を有する支持部材のパネル脚に採用してもよい。
【００８９】
上述した第３実施形態では、補助連結部２００が第１エンドパネル２０Ａと第１センターパネル２１Ａとがなす各交差面同士を連結する構成について説明したが、この構成に限られない。例えば、図１６に示す補助連結部２５０のように、第１エンドパネル２０Ａと第１センターパネル２１Ａとの上端面同士、及び下端面同士をそれぞれ連結していてもよい。なお、補助連結部２５０は、上端面同士及び下端面同士の何れか一方同士を連結していてもよい。
【００９０】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００９１】
１…空間構成体
１６…第１サイドユニット（仕切部材）
１７…第２サイドユニット（仕切部材）
２０Ａ…第１エンドパネル（第１パネル）
２０Ｂ…第２エンドパネル（第２パネル）
２１Ａ…第１センターパネル（第３パネル、第１パネル）
２１Ｂ…第２センターパネル（第２パネル）
２１Ｃ…第３センターパネル（第３パネル、第１パネル）
２２…第１分岐パネル（第３パネル）
２３…第２分岐パネル（第３パネル）
３７…受けクリップ（第１係合部材、第２係合部材）
５３…係合凹部（第１係合凹部、第２係合凹部）
６７…位置決めピン（接続部）
７０…第１係合凸部
７１…第２係合凸部
９０…天板（補助連結部）
２００，２５０…補助連結部
【図１】
2022000558.tif 000003
【図２】
2022000558.tif 000004
【図３】
2022000558.tif 000005
【図４】
2022000558.tif 000006
【図５】
2022000558.tif 000007
【図６】
2022000558.tif 000008
【図７】
2022000558.tif 000009
【図８】
2022000558.tif 000010
【図９】
2022000558.tif 000011
【図１０】
2022000558.tif 000012
【図１１】
2022000558.tif 000013
【図１２】
2022000558.tif 000014
【図１３】
2022000558.tif 000015
【図１４】
2022000558.tif 000016
【図１５】
2022000558.tif 000017
【図１６】
2022000558.tif 000018